(57)【要約】【課題】  省資源と可読性維持に有効な最適な印刷属性をユーザの手を煩わせることなく簡単に設定できるようにする。【解決手段】  印刷処理装置３０において、印刷属性設定部３３は、クライアント端末例えば１０ａのユーザが該端末の表示部に表示された印刷要求画面を用いてある文書情報の省資源印刷の指示を行うに際して、該印刷に用いる印刷資源の削減率に相当するコストが指定されたか否を監視する。そして、上記コストが指定された場合、印刷属性／コスト管理テーブル３４１に記憶された情報を参照して、上記印刷指示された文書情報を上記指定されたコストの範囲内で印刷可能な印刷属性を自動的に設定する。【選択図】  図１
2005186315.tif 000002
【特許請求の範囲】
【請求項１】
印刷指示時に設定された印刷属性に基づき該印刷指示された文書情報を印刷する印刷処理装置において、
前記印刷指示時、該印刷に用いる印刷資源の削減率に相当するコストを指定するコスト指定手段と、
前記印刷指示された文書情報を、前記コスト指定手段により指定されたコストの範囲内で印刷可能な印刷属性を設定する印刷属性設定手段と
を具備することを特徴とする印刷処理装置。
【請求項２】
前記コスト指定手段は、
削減対象の１または複数の印刷資源に対応して前記コストを指定し、
前記印刷属性設定手段は、
前記コスト指定手段により指定された１または複数の印刷資源に対応して前記印刷属性を設定する
ことを特徴とする請求項１記載の印刷処理装置。
【請求項３】
前記コスト指定手段は、
前記削減対象の印刷資源として、記録用紙またはトナーの少なくともいずれか一方を指定する
ことを特徴とする請求項２記載の印刷処理装置。
【請求項４】
前記印刷属性設定手段は、
複数の頁から成る前記文書情報に対する前記コスト指定手段によるコストの指定に応じて、該文書情報の各頁毎に前記印刷属性を設定する
ことを特徴とする請求項１〜３のいずれか記載の印刷処理装置。
【請求項５】
前記印刷属性設定手段は、
前記コスト指定手段により指定されたコストに基づき、印刷対象文書情報の頁単位のコストを算出する算出手段と、
前記算出手段により算出された各頁のコストの加算値を元に、印刷に用いる記録用紙の区切りを決定する区切決定手段と、
前記区切決定手段により決定された記録用紙の区切りに対応して頁単位のコストを修正する修正手段と、
印刷属性情報と該印刷属性情報に基づく印刷設定時の印刷にかかるコストとの対応関係を記憶する記憶手段から、前記修正手段により修正された各頁毎のコストを下回るコストに対応する印刷属性情報を検索し、該検索した印刷属性情報に基づき各頁に対応して印刷属性を設定する設定手段と
を具備することを特徴とする請求項４記載の印刷処理装置。
【請求項６】
印刷対象文書情報の各頁毎に重み付け情報を指定する重み指定手段
を具備し、
前記算出手段は、
前記重み指定手段により指定された各頁毎の重み付け情報に対応して当該各頁単位のコストを算出する
ことを特徴とする請求項５記載の印刷処理装置。
【請求項７】
印刷対象文書情報の頁毎の情報種別を判別する情報判別手段と、
前記情報判別手段により判別された各頁の情報種別に対応して当該各頁毎に重み付け情報を付与する重み付与手段と
を具備し、
前記算出手段は、
前記重み付与手段により付与された各頁の重み付け情報に対応して当該各頁毎のコストを算出する
ことを特徴とする請求項５記載の印刷処理装置。
【請求項８】
前記印刷属性設定手段により設定された印刷属性に基づく印刷に対応する印刷プレビューを表示する表示手段と、
前記印刷プレビュー表示後、前記重み指定手段による重み付け情報の指定に応じて頁単位の重み付け情報を修正する重み修正手段と
を具備し、
前記印刷属性設定手段は、
前記重み修正手段により修正された重み付け情報を用いて前記印刷属性の再設定を行う
ことを特徴とする請求項６記載の印刷処理装置。
【請求項９】
前記印刷属性設定手段は、
前記印刷属性として、Ｎアップ，両面，片面，フォントサイズを含む頁レイアウト、色、用紙サイズ、用紙種別、トナー種別の少なくともいずれか１つを設定する
ことを特徴とする請求項１記載の印刷処理装置。
【請求項１０】
印刷指示時に設定された印刷属性に基づき該印刷指示された文書情報を印刷する印刷処理方法において、
前記印刷指示時、該印刷に用いる印刷資源の削減率に相当するコストをコスト指定手段により指定し、
前記印刷指示された文書情報を、前記コスト指定手段により指定されたコストの範囲内で印刷可能な印刷属性を印刷属性設定手段により設定する
ことを特徴とする印刷処理方法。
【請求項１１】
印刷指示時に設定された印刷属性に基づき該印刷指示された文書情報を印刷する印刷処理プログラムであって、
前記印刷指示時、該印刷に用いる印刷資源の削減率に相当するコストを指定するコスト指定ステップと、
前記印刷指示された文書情報を、前記コスト指定ステップにより指定されたコストの範囲内で印刷可能な印刷属性を設定する印刷属性設定ステップと
をコンピュータに実行させることを特徴とする印刷処理プログラム。
【発明の詳細な説明】
【技術分野】
【０００１】
本発明は、印刷指示時に設定された印刷属性に基づき該印刷指示された文書情報を印刷する印刷処理装置に係わり、詳しくは、記録用紙やトナー等の印刷資源を削減する省資源印刷を行う場合の最適な印刷属性を容易に設定できる印刷処理装置及び方法及びプログラムに関する。
【背景技術】
【０００２】
今日、広範な分野で環境保護に対する関心が高まる中、印刷処理システムにおいても、記録用紙やトナー等の印刷資源を節減する省資源印刷のための種々の対策が講じられている。
【０００３】
省資源に有効な印刷の代表的な例として、例えば、１枚の用紙にＮ頁分の画像情報を印刷するＮアップ印刷や、１枚の用紙の両面に画像情報を印刷する両面印刷等が挙げられる。
【０００４】
このような省資源印刷を行う場合、所望の文書情報の印刷要求時に、ユーザが当該文書情報に対して印刷属性の設定を行うのが最も一般的である。
【０００５】
しかしながら、ユーザが適切な設定項目（設定対象の印刷属性）を決めることは容易ではなく、例えば、設定項目を多くし過ぎる（Ｎアップ数が多い場合等）と、省資源には有効であるが、不明瞭な印刷結果となり、可読性が損なわれることになった。
【０００６】
逆に、設定項目が少なすぎる（Ｎアップ数が小さい場合等）と、可読性は保てるものの、省資源には結びつかないことになった。
【０００７】
また、画像が主体の文書情報とテキストが主体の文書情報とでは、省資源印刷のための最適な印刷設定が異なるが、このような異なる情報種別が混在する文書情報に対して頁毎に最適な印刷属性をユーザが設定するのは困難であった。
【０００８】
こうした背景を踏まえ、従来、印刷履歴に対してコスト削減率を集計するツールはあったが、印刷要求の時点でユーザに印刷コストの削減率を意識させるものはなかった。
【０００９】
また、印刷資源の削減につながる印刷属性をデフォルトに設定しておく方法もあるが、この方法では、固定の印刷属性の設定しか行えなかった。
【００１０】
この他、省資源印刷時の印刷属性設定に関する公知技術として、例えば、下記特許文献１には、エンドユーザの印刷設定を制限できる課金印刷システムにおいて、印刷料金と文書のページ数から、印刷可能な印刷設定情報を取得する技術が開示されている。
【００１１】
また、下記特許文献２には、印刷時の拡大、縮小の許容属性を検索し、その属性内で最適なレイアウトを決定する技術が開示されている。
【特許文献１】特開２００２−１８９５７６号公報
【特許文献２】特開２０００−３５７０７０号公報
【発明の開示】
【発明が解決しようとする課題】
【００１２】
しかしながら、特許文献１記載のものでは、自動で印刷属性を調整する機能を持たないため、文書情報を省資源印刷する際のユーザによる印刷属性設定操作の煩雑化を解消できなかった。
【００１３】
また、特許文献２記載のものでは、属性内で決定されるレイアウトに従って印刷が行われるため、印刷された文書の可読性は保証されるが、許容属性の値によっては省資源を果たせないこともあった。
【００１４】
このように、従来は、省資源と可読性維持に有効な最適な印刷属性を設定することが困難であり、結果として、省資源と可読性維持の双方を満足する印刷を実現できないという問題点があった。
【００１５】
本発明は上記問題点を解消し、省資源と可読性維持に有効な最適な印刷属性をユーザの手を煩わせることなく設定でき、省資源と可読性維持の双方を満足する印刷を簡単に実現できる印刷処理装置及び方法及びプログラムを提供することを目的とする。
【課題を解決するための手段】
【００１６】
上記目的を達成するために、請求項１記載の発明は、印刷指示時に設定された印刷属性に基づき該印刷指示された文書情報を印刷する印刷処理装置において、前記印刷指示時、該印刷に用いる印刷資源の削減率に相当するコストを指定するコスト指定手段と、前記印刷指示された文書情報を、前記コスト指定手段により指定されたコストの範囲内で印刷可能な印刷属性を設定する印刷属性設定手段とを具備することを特徴とする。
【００１７】
請求項２記載の発明は、上記請求項１記載の発明において、前記コスト指定手段は、削減対象の１または複数の印刷資源に対応して前記コストを指定し、前記印刷属性設定手段は、前記コスト指定手段により指定された１または複数の印刷資源に対応して前記印刷属性を設定することを特徴とする。
【００１８】
請求項３記載の発明は、上記請求項２記載の発明において、前記コスト指定手段は、前記削減対象の印刷資源として、記録用紙またはトナーの少なくともいずれか一方を指定することを特徴とする。
【００１９】
請求項４記載の発明は、上記請求項１〜３記載の発明において、前記印刷属性設定手段は、複数の頁から成る前記文書情報に対する前記コスト指定手段によるコストの指定に応じて、該文書情報の各頁毎に前記印刷属性を設定することを特徴とする。
【００２０】
請求項５記載の発明は、上記請求項４記載の発明において、前記印刷属性設定手段は、前記コスト指定手段により指定されたコストに基づき、印刷対象文書情報の頁単位のコストを算出する算出手段と、前記算出手段により算出された各頁のコストの加算値を元に、印刷に用いる記録用紙の区切りを決定する区切決定手段と、前記区切決定手段により決定された記録用紙の区切りに対応して頁単位のコストを修正する修正手段と、印刷属性情報と該印刷属性情報に基づく印刷設定時の印刷にかかるコストとの対応関係を記憶する記憶手段から、前記修正手段により修正された各頁毎のコストを下回るコストに対応する印刷属性情報を検索し、該検索した印刷属性情報に基づき各頁に対応して印刷属性を設定する設定手段とを具備することを特徴とする。
【００２１】
請求項６記載の発明は、上記請求項５記載の発明において、印刷対象文書情報の各頁毎に重み付け情報を指定する重み指定手段を具備し、前記算出手段は、前記重み指定手段により指定された各頁毎の重み付け情報に対応して当該各頁単位のコストを算出することを特徴とする。
【００２２】
請求項７記載の発明は、上記請求項５記載の発明において、印刷対象文書情報の頁毎の情報種別を判別する情報判別手段と、前記情報判別手段により判別された各頁の情報種別に対応して当該各頁毎に重み付け情報を付与する重み付与手段とを具備し、前記算出手段は、前記重み付与手段により付与された各頁の重み付け情報に対応して当該各頁毎のコストを算出することを特徴とする。
【００２３】
請求項８記載の発明は、上記請求項６記載の発明において、前記印刷属性設定手段により設定された印刷属性に基づく印刷に対応する印刷プレビューを表示する表示手段と、前記印刷プレビュー表示後、前記重み指定手段による重み付け情報の指定に応じて頁単位の重み付け情報を修正する重み修正手段とを具備し、前記印刷属性設定手段は、前記重み修正手段により修正された重み付け情報を用いて前記印刷属性の再設定を行うことを特徴とする。
【００２４】
請求項９記載の発明は、上記請求項１記載の発明において、前記印刷属性設定手段は、前記印刷属性として、Ｎアップ，両面，片面，フォントサイズを含む頁レイアウト、色、用紙サイズ、用紙種別、トナー種別の少なくともいずれか１つを設定することを特徴とする。
【００２５】
請求項１０記載の発明は、印刷指示時に設定された印刷属性に基づき該印刷指示された文書情報を印刷する印刷処理方法において、前記印刷指示時、該印刷に用いる印刷資源の削減率に相当するコストをコスト指定手段により指定し、前記印刷指示された文書情報を、前記コスト指定手段により指定されたコストの範囲内で印刷可能な印刷属性を印刷属性設定手段により設定することを特徴とする。
【００２６】
請求項１１記載の発明は、印刷指示時に設定された印刷属性に基づき該印刷指示された文書情報を印刷する印刷処理プログラムであって、前記印刷指示時、該印刷に用いる印刷資源の削減率に相当するコストを指定するコスト指定ステップと、前記印刷指示された文書情報を、前記コスト指定ステップにより指定されたコストの範囲内で印刷可能な印刷属性を設定する印刷属性設定ステップとをコンピュータに実行させることを特徴とする。
【発明の効果】
【００２７】
本発明によれば、印刷指示時、該印刷に用いる印刷資源の削減率に相当するコストをコスト指定手段により指定すると、印刷属性設定手段が、印刷指示された文書情報を、上記コスト指定手段により指定されたコストの範囲内で印刷可能な印刷属性を設定するため、ユーザが、どの程度まで印刷資源を削減したいかといった要望に合わせて該要望する資源削減率に相当するコストの指定を行うだけで、印刷資源を該指定されたコストの範囲内に抑え得る印刷に対応する最適な印刷属性を自動的に設定でき、ユーザに煩雑な印刷属性設定操作を強いることなく省資源印刷を極めて簡単に実現できる。
【００２８】
また、印刷属性設定処理を自動化したことで、ユーザが自ら印刷属性を設定する場合のように、設定項目が多くなり過ぎて可読性を損ねるような印刷が行われたり、逆に、設定項目が少なくなり過ぎて省資源に適さない印刷が行われることを防止でき、省資源のみならず、可読性をも満足する印刷を容易に実現できる。
【発明を実施するための最良の形態】
【００２９】
以下、本発明の実施形態について添付図面を参照して詳細に説明する。
【００３０】
図１は、本発明に係る印刷処理システム５０の構成を示すブロック図である。
【００３１】
このシステム５０は、本システムを利用してドキュメント（文書情報）の印刷を行うユーザが使用する複数のクライアント端末１０（１０ａ，１０ｂ，１０ｃ，…）と、該クライアント端末１０とネットワーク２０を介して接続され、該クライアント端末１０からユーザによる文書情報の印刷要求を受付けて印刷ジョブを生成する印刷処理装置３０と、該印刷処理装置３０とネットワーク２１を介して接続され、該印刷処理装置３０からキューイングされる印刷ジョブに基づき上記文書情報を画像として印刷出力する複数のプリンタ４０（４０ａ，４０ｂ，４０ｃ，…）を具備して構成される。
【００３２】
クライアント端末１０は、例えば、ＰＣ（パーソナル・コンピュータ）等により実現され、入力／操作部、表示部、制御部（ＣＰＵ）等（図示せず）を備えている。
【００３３】
クライアント端末１０を用いて印刷処理装置３０にアクセスして文書情報を印刷しようとするユーザは、入力／操作部の操作により印刷処理装置３０にログインした後、該クライアント端末１０の表示部に表示される印刷要求画面を用いて、印刷対象のプリンタ、印刷対象の文書情報、印刷部数等を指定する印刷要求操作を行う。
【００３４】
印刷処理装置３０は、主制御部３１、アプリケーションサーバ３２、印刷属性設定部３３、記憶部３４、表示制御部３５を具備して構成される。
【００３５】
主制御部３１は、印刷処理装置全体の制御を行うものであり、その制御の一環として、クライアント端末１０からのログイン要求に応答して該クライアント端末１０の表示部にログイン画面を表示し、該ログイン画面を用いてユーザから入力されるユーザＩＤに基づきログインを許可若しくは拒否するログイン受付け処理を行う。
【００３６】
アプリケーションサーバ３２は、文書情報の処理（文書情報生成／管理／印刷指示）機能を有する各種アプリケーションを保持し、上記ログインが完了したクライアント端末１０からの要求に応じて該クライアント端末１０に対して当該アプリケーションを供給する。
【００３７】
これにより、クライアント端末１０では、アプリケーションサーバ３２が保持するアプリケーションを起動して、文書情報の生成や当該文書情報の印刷要求を行うことができる。
【００３８】
なお、クライアント端末１０からの文書情報の印刷要求の受け付けに際して、アプリケーションサーバ３２では、該クライアント端末１０で必要に応じてなされる省資源印刷（印刷資源を削減して文書情報を印刷する）要求を受け付け可能な構成となっている。
【００３９】
クライアント端末１０から上記アプリケーションを用いて所望の文書情報の印刷要求があると、アプリケーションサーバ３２は、該印刷要求対象の文書情報の印刷ジョブを生成し、プリンタ４０に送出する（キューイングする）。
【００４０】
また、上記文書情報の印刷要求に際して、クライアント端末１０から該文書情報の省資源印刷要求があると、印刷属性設定部３３は、記憶部３４内に予め設けられている印刷属性／コスト管理テーブル３４１に格納される印刷属性／コスト管理情報を参照して、該文書情報の省資源印刷を実現可能な印刷属性を自動的に設定する制御を行う。
【００４１】
記憶部３４は、印刷処理装置３０の動作プログラム等をはじめとした各種情報を記憶するものである。また、記憶部３４には、省資源印刷要求を受けた時に該省資源印刷に必要な印刷属性の設定に用いる印刷属性／コスト管理情報を記憶した印刷属性／コスト管理テーブル３４１（図３参照）が設けられる。
【００４２】
この印刷属性／コスト管理情報は、例えば、ユーザがクライアント端末１０を用いて行う設定要求を主制御部３１で受け付け、その後、該クライアント端末１０から送られてくる当該印刷属性／コスト管理情報を印刷属性／コスト管理テーブル３４１に格納するという方法で保持できる。
【００４３】
表示制御部３５は、ユーザがクライアント端末１０を用いて印刷処理装置３０に対して行う印刷要求操作に応じて、該クライアント端末１０の表示部に、印刷部数や印刷対象プリンタ等を指定するための印刷要求画面を表示する制御を行う。
【００４４】
このシステム５０において、ユーザは、クライアント端末１０を用いて印刷処理装置３０にログインし、該ログインが許可された後、アプリケーションサーバ３２にアクセスし、該アプリケーションサーバ３２に保持されるアプリケーションを起動後、所望の文書情報の編集を行うことができる。
【００４５】
また、ユーザは、編集中の文書情報の印刷を希望する場合、例えば、該文書情報の編集画面上で、印刷要求画面を開くことを指示する所定の印刷要求操作を行うことができる。
【００４６】
上記印刷要求操作がなされると、表示制御部３５は、当該文書情報を対象とする印刷要求画面を生成し、該印刷要求画面を当該クライアント端末１０の表示部に表示する。
【００４７】
ユーザは、クライアント端末１０の表示部に表示される印刷要求画面を用いて当該文書情報の印刷部数や印刷を実行するプリンタ等の指定並びに印刷開始指示等の操作を行うことができる。
【００４８】
特に、このシステム５０では、上記印刷要求画面を用いて、用紙やトナー等の印刷資源を節減した印刷である省資源印刷のための印刷指示が行える構成となっている。
【００４９】
図２は、表示制御部３５の制御によりクライアント端末１０の表示部に表示される印刷要求画面３５０の一例を示す図である。
【００５０】
図２に示すように、印刷要求画面３５０には、印刷を実行するプリンタを指定するツール（図中、“プリンタ名”コンボボックス）３５１、印刷部数を入力するツール（同、“印刷部数”入力ボックス）３５２、印刷範囲を入力するツール（同、“印刷範囲”入力ボックス）３５３、印刷の開始を指示するツール（同、“印刷”ボタン）３５８、印刷のキャンセルを指示するツール（同、“キャンセル”ボタン）３５９等の通常の印刷指示ツールの他、後述する省資源印刷指示に用いる各ツール３５４、３５５、３５６、３５７が設けられる。
【００５１】
ここで、ツール（図２中、“資源削減率（コスト）”入力ボックス）３５４は、所望の文書情報の印刷に際して、記録用紙やトナー等の印刷資源を削減した省資源印刷を行おうとする場合に、これら印刷資源を省資源印刷設定を行わなかった時と比較してどの程度まで削減するかの比率（削減率）をコストとして指定するコスト指定ツールである。このコスト指定ツール３５４では、省資源設定を行わなかった時と比較した印刷資源のコスト（資源削減率）を“５０”や“４０”といった数値（％）で指定することができる。
【００５２】
また、ツール（同、“削減対象資源”コンボボックス）３５５は、省資源印刷に際して削減対象とする印刷資源（記録用紙、トナー等）の種別を指定する削減対象資源指定ツールである。この削減対象資源指定ツール３５５では、対応するコンボボックスから所望の印刷資源の種別を選択することで該印刷資源を省資源対象として指定することができる。
【００５３】
また、ツール（同、“重み付け”入力ボックス）３５６は、省資源印刷対象の文書情報の各頁毎にコストを割り振る際に用いる当該各頁毎の重み点数〔値（点数）が高いほど重い〕を指定する重み付けツールである。この重み付け指定ツール３５６では、対応する入力ボックスに“１”や“２”等の数値を入力することで該数値を各頁の重み点数（重み付け情報）として指定することができる。
【００５４】
また、ツール（同、“印刷プレビュー”ボタン）３５７は、上記ツール３５４，３５５，３５６を用いた省資源印刷指示に基づき印刷属性設定部３３で自動設定された印刷属性に基づく省資源印刷に対応する印刷プレビュー（省資源印刷プレビュー）の表示を指示する省資源印刷プレビュー指示ツールである。このツール３５７では、対応する“印刷プレビュー”ボタンを選択することで上記省資源印刷プレビューの表示を指示することができる。
【００５５】
このように、本発明のシステム５０では、ある文書情報を省資源印刷する際、印刷要求画面３５０のツール３５４、３５５を用いて、どの印刷資源を対象にどの程度の削減率（コスト）まで削減するかを指定でき、その際、コストの割り振りに用いる各頁毎の重み付け情報をツール３５６を用いて指定することができる。
【００５６】
一例として、図２においては、省資源印刷が設定されていない時と比較して、用紙を４０％まで削減することを示す省資源印刷指示がなされている。また、当該省資源印刷対象の文書情報の各頁の重み付けに関しては、１頁目（Ｐ１）が１，２頁目（Ｐ２）が２，３頁目（Ｐ３）が２，…という重み点数が併せて指定されている。
【００５７】
なお、印刷処理装置３０は、上述した省資源印刷指示時に重み付け指定ツール３５６を用いた重み付け情報の指定がなされていない状態で省資源印刷開始の指示があった場合には、印刷対象の文書情報の各頁毎に情報種別を自動判別し、該判別結果に従って各頁に対する重み付け情報を自動的に算出する機能を有している。
【００５８】
上述した如く、印刷要求画面３５０を用いて省資源印刷設定が完了した後、印刷開始指示（印刷ボタン３５８の押下）がなされると、クライアント端末１０から印刷処理装置３０に対して、当該省資源印刷対象の文書情報が送出される。
【００５９】
一方、印刷処理装置３０では、アプリケーションサーバ３２が、クライアント端末１０から送出された省資源印刷対象の文書情報を受信し、プリンタ４０にキューイングする印刷ジョブを生成する。
【００６０】
この時、印刷属性設定部３３は、上記省資源印刷対象の文書情報に関して、該文書情報を、上記コスト指定ツール３５４により指定されたコストの範囲内に納まる印刷資源（上記削減対象資源指定ツール３５５により指定される印刷資源）を用いて印刷可能な印刷属性を自動的に設定する処理を行う。
【００６１】
この処理において、印刷属性設定部３３は、複数の頁から成る上記文書情報に対して、例えば、該文書情報の各頁毎に印刷属性を設定する。また、その際、印刷属性設定部３３は、記憶部３４に予め用意された印刷属性／コスト管理テーブル３４１に記憶された印刷属性／コスト管理情報を参照して上記印刷属性の設定を行う。
【００６２】
図３は、印刷属性／コスト管理テーブル３４１の構成を示す図である。
【００６３】
図３に示すように、印刷属性／コスト管理テーブル３４１には、例えば、頁レイアウト（Ｎアップ、片面、両面、フォントサイズ等）、色、用紙サイズ、用紙タイプ、消耗材（ロートナー）等の印刷属性情報に対応して、当該各印刷属性情報に基づく印刷設定時の印刷にかかるコスト（当該印刷時に達成される削減率）の値が印刷資源（この例では、用紙とトナー）に対応して記憶されている。
【００６４】
ここで、各印刷属性に対応する各コストの値は、該印刷属性を設定して印刷を行った場合に、それぞれの印刷資源が、省資源印刷設定を行わなかった時に比べてどの程度まで削減できるかの削減率（％）として与えられる。  
例えば、用紙という印刷資源に関しては、片面印刷という印刷設定に対して、省資源印刷設定を行わなかった場合に相当するコスト＝１００％という値が設定されるのに対して、両面印刷という印刷設定に対しては、上記省資源印刷未設定時に比べて５０％の省資源が果たせることを意味するコスト＝５０％という値が設定される。
【００６５】
同じく、用紙という印刷資源のＮアップ印刷に関しては、１アップ（Ｎアップ無し）という印刷設定に対して、省資源印刷設定を行わなかった場合に相当するコスト＝１００％という値が設定されるのに対して、２アップ，４アップ，８アップという印刷設定に対しては、上記省資源印刷未設定時に比べて、それぞれ、５０％，２５％，１２．５％の省資源（用紙の）が果たせることを意味するコスト＝５０％，２５％，１２．５％という値が設定される。
【００６６】
また、トナーという印刷資源に関しては、片面印刷、両面印刷、１アップという印刷設定のいずれに対しても、省資源印刷設定を行わなかった場合に相当するコスト＝１００％という値が設定されるのに対して、２アップ，４アップ，８アップという印刷設定に対しては、上記省資源印刷未設定時に比べて、それぞれ、５０％，２５％，１２．５％の省資源（トナーの）が果たせることを意味するコスト＝５０％，２５％，１２．５％という値が設定される。
【００６７】
また、用紙という印刷資源に関するロートナーを使用するという印刷設定に対しては省資源印刷設定を行わなかった場合に相当するコスト＝１００％という値が設定されるのに対して、トナーという印刷資源に関するロートナーを使用するという印刷設定に対しては、上記省資源印刷未設定時に比べて、５０％の省資源（トナーの）が果たせることを意味するコスト＝５０％という値が設定される。
【００６８】
なお、図３の例では、印刷面（片面、両面）、Ｎアップ（１アップ、２アップ、４アップ、８アップ）、ロートナーの各印刷設定に対応するコスト値についてしか具体値を開示していないが、この他、フォントサイズ、画像情報の色、用紙のサイズ、用紙タイプ等の印刷設定に関しても対応するコストがそれぞれ設定されていることは言うまでもない。
【００６９】
次に、省資源印刷指示に基づく印刷属性設定部３３の印刷属性設定処理動作を図４に示すフローチャートを参照して説明する。
【００７０】
なお、この例は、特に、クライアント端末１０から、印刷要求画面３５０を用いて、例えば、用紙を対象にした省資源印刷設定指示がなされた場合の印刷属性設定処理動作を示すものである。
【００７１】
待機中、印刷処理装置３０の印刷属性設定部３３では、クライアント端末１０から、印刷要求画面３５０を用いて、省資源印刷設定のためのコストが入力されたか否かを監視している（ステップＳ１０１）。
【００７２】
ここで、例えば、用紙を対象とした省資源印刷設定に対応するコスト（上記印刷要求画面３５０のコスト指定ツール３５４並びに削減対象資源指定ツール３５５を用いて入力される）が入力された場合（ステップＳ１０１ＹＥＳ）、印刷属性設定部３３は、更に、この時の印刷対象の文書情報に対応して重み付け情報（上記印刷要求画面３５０の重み付け指定ツール３５６を用いて入力される）が付加されているか否かをチェックする（ステップＳ１０２）。
【００７３】
ここで、重み付け情報が付加されている場合（ステップＳ１０２ＹＥＳ）、印刷属性設定部３３は、当該省資源印刷対象の文書情報の各頁毎の重み付け情報を取得し（ステップＳ１０３）、該重み付け情報を用いて当該文書情報の各頁毎のコストを算出する処理（ステップＳ１０５）に進む。
【００７４】
これに対して、重み付け情報が付加されていない場合（ステップＳ１０２ＮＯ）、印刷属性設定部３３は、図示しない情報種別判別部により、この時の省資源印刷対象文書情報の情報種別（テキスト、画像等）を頁毎に判別し、この情報種別判別部により判別された各頁の情報種別に対応して当該各頁毎の重み付け情報を算出する（ステップＳ１０４）。
【００７５】
この場合に、画像や文字の密度が高い情報については、コストが高くなるような重み付け情報を算出する方法がある。
【００７６】
上述した如く、情報種別に応じて各頁毎の重み付けを自動算出した後、印刷属性設定部３３は、該算出した各頁毎の重み付け情報を用いて各頁毎のコスト算出処理（ステップＳ１０５）を行う。
【００７７】
ステップＳ１０５におけるコスト算出処理においては、各頁の重み付け情報の点数比に応じて、各頁毎にコストを算出する。
【００７８】
この場合のコストの算出式は、下記（１）式で与えられる。
【００７９】
頁毎のコスト（％）
＝頁数×コスト÷１００×頁の点数÷合計点数×１００  ……  （１）
次いで、印刷属性設定部３３は、上記（１）式により算出した各頁毎のコストを参照して、今回の省資源印刷設定に基づく省資源印刷に対応した用紙の区切りを決定する（ステップＳ１０６）。
【００８０】
具体的には、上記ステップＳ１０５で算出された頁毎のコストの加算値が１００％になる頁数を目安に用紙の区切りを決定する。ここで、１００％ちょうどで区切れない場合は、１００％に近い加算値となる頁で区切る。
【００８１】
次に、求めた頁の区切りに従って、上記ステップＳ１０５で算出した各ページ毎のコストを修正する（ステップＳ１０７）。この処理にあたっては、
条件１＝用紙毎のコストの合計が１００％。
【００８２】
条件２＝同一の用紙に印刷される頁は全て同一コストとする。
【００８３】
という、２つの条件に合致するようにコストの修正を行う。
【００８４】
更に、上記ステップＳ１０７で修正したコストを用いて、該修正したコストを下回るように（修正したコストの範囲内に納まるように）、用紙毎の印刷属性を選択する（ステップＳ１０８）。
【００８５】
この処理においては、各頁毎の修正されたコストを下回る印刷属性を印刷属性／コスト管理テーブル３４１から検索し、この検索された印刷属性を当該各頁毎の印刷属性として選択する。
【００８６】
その際、各頁の印刷属性として複数の印刷属性を適用する場合（例えば、後述する図５のＧにおいて、１頁目〜３頁目に両面かつ２アップなる設定を行うケース）には、各印刷属性に対応するコストの積を用紙コストとして扱うようにする。
【００８７】
そして、全頁の印刷属性が選択されない間（ステップＳ１０９ＮＯ）は、上記ステップＳ１０８の処理を続け、その間、全頁の印刷属性の選択がなされた場合（ステップＳ１０９ＹＥＳ）、それまでに選択された各頁毎の印刷属性を当該各頁に対応して設定する。
【００８８】
なお、上記ステップＳ１０８における印刷属性の選択処理については、印刷属性毎に予め優先順位を定めておき、選択条件を満足する同コストの複数の印刷属性がある場合には、優先順位の高い方から順に選択する方法が適用できる。
【００８９】
次に、具体的な例を挙げて、印刷属性設定部３３における印刷属性設定処理について更に詳しく説明する。
【００９０】
ここでは、説明を簡略にする意味で、頁数＝５から成る文書情報を、用紙を対象として４０％の省資源を図ることを示す「コスト＝４０，削減対象資源＝用紙」を設定して省資源印刷する場合について述べる。
【００９１】
また、この場合において、各頁については、１頁目＝１、２頁目＝２、３頁目＝２、４頁目＝３、５頁目＝１という重み付け情報が指定されているものとする。
【００９２】
図５は、上記条件の下で、図４における主要な処理ステップで生成される各データの変遷を示す表図である。
【００９３】
図５において、Ａは、ステップＳ１０１でのコスト入力の対象となる（省資源印刷の対象となる）文書情報の頁構成（５頁から成る）を示している。
【００９４】
また、Ｂは、この省資源印刷対象の文書情報に対して、図４のステップＳ１０１において、コスト＝４０（％）が指定された状態を示し、Ｃは、図４のステップＳ１０３において、１頁目＝１、２頁目＝２、３頁目＝２、４頁目＝３、５頁目＝１という重み付け情報が取得された状態を示している。
【００９５】
印刷属性設定部３３は、図５のＡ〜Ｃに示すような条件による省資源印刷指示を受け付けた後、図４のステップＳ１０５において、上記（１）式を用いて、各頁毎のコストを算出する。図５において、Ｄは、該ステップＳ１０５で算出された各頁のコストを示している。
【００９６】
この例では、頁数＝５、重み付け情報の合計点数＝９であることから、１頁目（重み付け＝１）のコスト（％）の値が、上記（１）式を用いて、
５×４０÷１００×１÷９×１００＝２２．２として算出される。
【００９７】
同様に、２頁目（重み付け＝２）、３頁目（重み付け＝２）、４頁目（重み付け＝３）、５頁目（重み付け＝１）のコスト（％）の値が、上記（１）式を用いて、それぞれ、４４．４、４４．４、６６．７、２２．２として算出される。
【００９８】
次に、図４のステップＳ１０６における用紙の区切りの決定に関して、印刷属性設定部３３は、図５のＥに示すように、コスト１００％を目安にして、コストの加算値が１１０となる１頁目〜３頁目を１枚目の用紙とし、コストの加算値が８８．９となる４頁目〜５頁目を２枚目の用紙とするように用紙の区切りを決定する。
【００９９】
次に、上記ステップＳ１０７におけるコスト修正に関して、印刷属性設定部３３は、図５のＦに示すような値に修正する。すなわち、この場合に印刷属性設定部３３は、図５のＥで決定した用紙の区切りに従い、１〜３頁目については上述した条件１、条件２を当てはめることによって、該各頁のコストをそれぞれ３３．３（％）に修正し、同様に、４〜５頁目については、該各頁のコストをそれぞれ５０（％）に修正する。
【０１００】
更に、上記ステップＳ１０８における印刷属性の選択に関して、印刷属性設定部３３は、図５のＧに示すような内容の印刷属性の選択を行う。すなわち、この場合に印刷属性設定部３３は、図５のＦで修正した１〜３頁目のコスト＝３３．３（％）を元にして印刷属性／コスト管理テーブル３４１（図３参照）を検索することにより、当該コストの範囲内という条件を満足するコスト＝２５（％）を達成し得る印刷属性（但し、削減対象資源＝用紙に対応する）の組み合わせ、例えば、両面印刷かつ２アップ印刷を求め、この求めた印刷属性（両面・２アップ）を当該１〜３頁に対応する印刷属性として決定する。
【０１０１】
同様に、４〜５頁目に関しては、図５のＦで修正した４〜５頁目のコスト＝５０（％）を元にして印刷属性／コスト管理テーブル３４１を検索することにより、当該コストの範囲内という条件を満足するコスト＝５０（％）を達成し得る印刷属性（但し、削減対象資源＝用紙に対応する）、例えば、両面印刷を求め、この求めた印刷属性（両面）を当該４〜５頁に対応する印刷属性として決定する。
【０１０２】
このように、図５のＡ〜Ｇに示す設定処理の流れで各頁毎に選択された印刷属性は、その後、ステップＳ１１０において、当該省資源印刷対象の文書情報の対応する各頁毎に設定される。
【０１０３】
この印刷属性設定部３３により各頁毎に自動設定された印刷属性は、対応する文書情報（省資源印刷対象の文書情報）の印刷データと共に印刷ジョブとしてまとめられ、アプリケーションサーバ３２からプリンタ４０（印刷指示時に指定されたプリンタ）に送出される。
【０１０４】
プリンタ４０は、アプリケーションサーバ３２から上記印刷ジョブを受信すると、該印刷ジョブ中の印刷データを、各頁毎に、当該各頁に対応して設定された印刷属性に従って印刷出力する。
【０１０５】
図６は、図５に示した処理の流れで印刷属性が自動設定された文書情報のプリンタ４０での出力結果を示す概念図である。
【０１０６】
この場合、プリンタ４０では、図５のＧに示す印刷属性の選択結果に対応した印刷属性設定がなされた当該省資源印刷対象の文書情報中、１頁目と２頁目の文書情報（Ｐ１，Ｐ２）を１枚目の用紙の表面に２アップで印刷し、その裏面には、３頁目の文書情報（Ｐ３）のみを２アップで印刷する。次いで、４頁目の文書情報（Ｐ４）を２枚目の用紙の表面に１アップで印刷し、更には、その裏面に、５頁目の文書情報（Ｐ５）を１アップで印刷し、印刷動作を終了する。
【０１０７】
ここで、図６に示す省資源印刷出力結果における印刷資源（この例では、用紙）の削減率について検証してみる。
【０１０８】
図６に例示したような５頁から成る文書情報については、該文書情報を省資源印刷設定を行わず（片面印刷：コスト＝１００％）に印刷した場合、通常、５枚の用紙が消費される。
【０１０９】
これに対して、本発明に係わる省資源印刷指示機能を用いて、同じ文書情報を、コスト＝４０（％）を指定して省資源印刷した場合には、図６に示すように、２枚の用紙を消費するだけで済み、省資源印刷設定を行わなかった時の用紙消費量５と比較した場合に、２／５＝４０（％）にまで印刷資源（用紙）を削減するという省資源化が図れる。
【０１１０】
従来のように、ユーザ自らが印刷属性を設定する方法では、例えば、図６の例のように４０％の省資源印刷を可能にする印刷属性を頁単位で設定するのは至難のことである。特に、従来の方法では、用紙を何枚程度削減しようという目安は付けられたとしても、削減率を４０％にするという意識まで行き着かない。
【０１１１】
この点、本発明では、最初から削減率を意識し、ユーザが所望する削減率に相当するコストを指定するだけで、当該所望の削減率を満足する省資源印刷を行うことができ、ユーザによる省資源印刷のための印刷属性の決定並びに設定の手間を大幅に簡略化できる。
【０１１２】
また、上記従来の方法では、５頁から成る文書情報の省資源印刷に際し、ユーザが、用紙５枚を使用するところを用紙２枚の使用に止めるという目安を付け、５頁から成る文書情報を２枚の用紙の片面にそれぞれ４アップで印刷するような印刷属性の設定も成し得るが、この場合には、印刷後の各頁の画像情報が細かくなり過ぎて可読性が低下する。
【０１１３】
この点、本発明では、コストの指定に合わせて各頁の重み付けを指定する機能を付加することで、重み付けの値が大きい頁については、設定されるアップ数Ｎが過大にならないように抑えることができる。
【０１１４】
図６の出力結果の例で言えば、省資源印刷対象の文書情報の１頁目〜５頁目まで順に１，２，２，３，１といった重み付けを行うことにより、図５のＧに示すような印刷属性の割り振りがなされ、その結果、図６に示すような印刷出力結果を得ることができる。
【０１１５】
この印刷結果によれば、１〜３頁目が１枚目の用紙の両面を用いて２アップ印刷され、４〜５頁目が２枚目の用紙の両面を用いてそれぞれ１アップ印刷される結果、印刷された画像情報が４アップ印刷の時ほど細かくならずに済み、可読性も維持できる。
【０１１６】
特に、重み付け情報の値（重み点数＝３）が大きい４頁目については、１アップで印刷でき、最大限の可読性を維持できる。
【０１１７】
このように、ユーザからのコストの指定に応じ、該指定されたコストの範囲内に納まる印刷を可能にする印刷属性を自動設定する本発明のシステムでは、ユーザが意識した削減率での省資源が容易に果たせるばかりでなく、印刷後における画像情報の可読性維持にも極めて有用である。
【０１１８】
ところで、ユーザが目標とするコスト及び重みを指定し、該指定に応じて自動設定された印刷属性に基づき出力された印刷結果において、ある頁に関して、例えば可読性の観点からどうしても満足がいかないといった事態も起こり得る。
【０１１９】
こうした事態に対処すべく、本発明のシステム５０では、印刷属性設定部３３により設定された印刷属性に基づき、該印刷属性の設定に基づく印刷に対応する印刷プレビューを表示し、該プレビュー表示後、重み付け指定ツール３５６によって修正された重みを用いて印刷属性の再設定を行う機能を有している。
【０１２０】
すなわち、本発明に係わる印刷処理装置３０では、図２に示した印刷要求画面３５０を用いてコスト並びに重み付け情報を指定した後、印刷開始指示の前に、該印刷要求画面３５０の省資源印刷プレビューボタン３５７を押下すると、表示制御部３５が、上記コスト及び重み付け情報の指定に応じた印刷属性設定部３３による印刷属性の設定に基づく印刷に対応した印刷プレビューをクライアント端末１０の表示部に表示する。
【０１２１】
図７は、上記省資源印刷プレビューの表示例を示す図である。
【０１２２】
この省資源印刷プレビューは、図５で述べた処理に基づく印刷属性設定に対応するものであり、図６に示した印刷結果に対応する画像情報を縮小した画像が表示される。
【０１２３】
上記省資源印刷プレビューボタン３５７押下後、まず、図７（ａ）に示すような１枚目の用紙の表面に対応した印刷プレビューが表示される。
【０１２４】
その後、画面をスクロールする毎に、１枚目の裏面に対応した印刷プレビュー〔同図（ｂ）〕、２枚目の表面に対応した印刷プレビュー〔同図（ｃ）〕、２枚目の裏面に対応した印刷プレビュー〔同図（ｄ）〕が順次表示される。
【０１２５】
ユーザは、上記省資源印刷プレビューを見て、当該省資源印刷プレビューのような印刷結果で満足するものであれば、印刷ボタン３５８を押下して省資源印刷を開始させる。この時に実行される省資源印刷においては、図６に示すような印刷結果を得ることができる。
【０１２６】
これに対し、上記省資源印刷プレビューを見て、当該省資源印刷プレビューのような印刷結果で満足がいかない場合、ユーザは、重み付け指定ツール３５６を用いて当該文書情報の各頁の重み付け情報を修正する操作を行う。
【０１２７】
この重み付け情報の修正操作がなされると、印刷属性設定部３３は、該修正後の重み付け情報を取得し、以後、図４におけるステップＳ１０５〜Ｓ１１０と同等の処理を経て印刷属性を再設定し、該印刷属性の再設定結果を反映した省資源印刷プレビューを表示する。
【０１２８】
この時に表示される省資源印刷プレビューは、上記修正された重み付け情報に対応して再設定された印刷属性による印刷結果に対応した内容となる。
【０１２９】
その後、ユーザは、この再設定された印刷属性に対応する省資源印刷プレビューを見て、当該省資源印刷プレビューのような印刷結果で満足するものであれば、印刷ボタン３５８を押下して省資源印刷を開始させることで、上記再設定された印刷属性に従った印刷結果を得ることができる。
【０１３０】
このように、本発明では、印刷属性設定部３３により設定された印刷属性に基づく印刷に対応する省資源印刷プレビューを表示する機能と、省資源印刷プレビュー表示後、重み付け指定ツール３５６による重み付け情報の指定に応じて頁単位の重み付け情報を修正する機能と、修正された重み付け情報を用いて印刷属性の再設定を受け付ける機能とを設けたため、省資源印刷プレビューを見ながらユーザが満足のいく印刷形態が得られるまで印刷属性を設定し直すことによって、削減率と可読性の両面からユーザによってより望ましい省資源印刷を行うことができる。
【０１３１】
なお、以上の説明では、印刷要求画面３５０上での省資源印刷指示（コストの指定）に際し、省資源の対象となる印刷資源として用紙を指定する例を挙げたが、本発明のシステム５０では、用紙に限らず、トナー等なども含む各種の印刷資源に対応して省資源印刷設定を行うことができる。
【０１３２】
また、用紙とトナー等、複数の印刷資源を組み合わせて省資源印刷設定を行うこともできる。
【０１３３】
図８及び図９は、それぞれ、図２とは異なる条件で省資源印刷設定を行う場合の印刷要求画面３５０の表示態様を示す図である。
【０１３４】
まず、図８は、トナーに対応してコストを指定する際の印刷要求画面３５０の表示態様を示している。
【０１３５】
この例では、印刷要求画面３５０においては、コスト指定ツール３５４によってコスト＝４０（％）が入力され、削減対象資源指定ツール３５５によってトナーが指定されると共に、併せて、重み付け指定ツール３５６によって、当該省資源印刷対象の文書情報の各頁の重み点数（Ｐ１＝１，Ｐ２＝２，Ｐ３＝２，…）が指定されている。
【０１３６】
このように、印刷要求画面３５０によって、省資源印刷が設定されていない時と比較して、トナーを４０％まで削減する旨の省資源印刷指示がなされた場合、印刷属性設定部３３は、当該指定された印刷資源であるトナーを、当該指定されたコストの範囲内で使用して印刷可能な印刷属性を自動設定する処理を行う。
【０１３７】
また、図９は、トナー及び用紙に対応してコストを指定する際の印刷要求画面３５０の表示態様を示すものである。
【０１３８】
この例では、印刷要求画面３５０においては、コスト指定ツール３５４によってコスト＝５０（％）が入力され、削減対象資源指定ツール３５５によってトナー及び用紙が指定されると共に、併せて、重み付け指定ツール３５６によって、当該省資源印刷対象の文書情報の各頁の重み点数（Ｐ１＝１，Ｐ２＝２，Ｐ３＝２，…）が指定されている。
【０１３９】
このように、印刷要求画面３５０によって、省資源印刷が設定されていない時と比較して、トナー及び用紙を５０％まで削減する旨の省資源印刷指示がなされた場合、印刷属性設定部３３は、当該指定された印刷資源であるトナー及び用紙を、当該指定されたコスト（トナー及び用紙両者の平均値）の範囲内で使用して印刷可能な印刷属性を自動設定する処理を行う。
【０１４０】
図８，図９のいずれの場合も、印刷属性設定部３３により自動設定された印刷属性に基づく省資源印刷が実施され、該印刷の結果、省資源印刷設定時に指定された印刷資源について指定された分のコストの削減を達成できる。
【０１４１】
なお、以上に述べた、印刷属性設定部３３における、コスト指定ツール３５４からのコスト指定に応じた印刷属性の自動設定処理動作は、例えば、図４に示した各処理ステップを実行させるための印刷処理プログラムを例えば主制御部（コンピュータ）３１に記憶し、該主制御部３１が該印刷処理プログラムを読み出し、印刷属性設定部３３等、装置各部を制御するという方法で実現される。
【０１４２】
この印刷処理プログラムは、上述した処理動作からも分かるように、印刷指示時に設定された印刷属性に基づき該印刷指示された文書情報を印刷する印刷処理プログラムであって、印刷指示時、該印刷に用いる印刷資源の削減率に相当するコストを指定するコスト指定ステップと、印刷指示された文書情報を、前記コスト指定ステップにより指定されたコストの範囲内で印刷可能な印刷属性を設定する印刷属性設定ステップとをコンピュータに実行させ得るプログラムである。
【０１４３】
この他、本発明は、上記し、且つ図面に示す実施例に限定することなく、その要旨を変更しない範囲内で適宜変形して実施できるものである。
【０１４４】
例えば、印刷時に頁単位で別々の設定が行えないような機種については、印刷属性設定部３３により設定された印刷属性を元に、頁指定印刷機能を用いて１文書を複数回に分けて印刷するようにしても良い。
【０１４５】
この場合に、印刷属性設定部３３による印刷属性の設定結果を、所定の操作に応じて、例えば、図１０に示すような内容の推奨印刷設定として出力させる（表示若しくは印刷出力）機能を設ける方法もある。これにより、ユーザは、上記該推奨印刷設定を参照し、上記の頁指定印刷機能を用いて各頁毎に印刷属性を設定していきながら、１文書を複数回に分けて行う省資源印刷を効率良く進めることができる。
【産業上の利用可能性】
【０１４６】
本発明は、印刷指示時に設定された印刷属性に基づき該印刷指示された文書情報を印刷する印刷処理装置全般に適用でき、印刷指示された文書情報を、コスト指定手段から指定されたコストの範囲内で印刷可能な印刷属性を自動設定する機能を設けることで、省資源と可読性維持の双方を満足する印刷を簡単に実現できる。
【図面の簡単な説明】
【０１４７】
【図１】本発明に係る印刷処理システムの構成を示すブロック図。
【図２】印刷要求画面の一例を示す図。
【図３】印刷属性／コスト管理テーブルの構成を示す図。
【図４】印刷属性設定部の印刷属性設定処理動作を示すフローチャート。
【図５】図４における主要な処理ステップで生成される各データの変遷を示す表図。
【図６】図５に例示した印刷属性設定時の文書情報の出力結果を示す概念図。
【図７】省資源印刷プレビューの表示例を示す図。
【図８】図２とは異なる条件による省資源印刷設定時の印刷要求画面の表示態様を示す図。
【図９】図２とは異なる条件による省資源印刷設定時の更に別の印刷要求画面の表示態様を示す図。
【図１０】印刷属性設定部による印刷属性設定結果に対応した推奨印刷設定出力態様を示す図。
【符号の説明】
【０１４８】
１０，１０ａ，１０ｂ，１０ｃ…クライアント端末、２０，２１…ネットワーク、３０…印刷処理装置、３１…主制御部、３２…アプリケーションサーバ、３３…印刷属性設定部、３４…記憶部、３４１…印刷属性／コスト管理テーブル、３５…表示制御部、３５０…印刷要求画面、３５４…コスト指定ツール、３５５…削減対象資源指定ツール、３５６…重み指定ツール、３５７…省資源印刷プレビューボタン、４０，４０ａ，４０ｂ，４０ｃ…プリンタ、５０…印刷処理システム
【図１】
2005186315.tif 000003
【図２】
2005186315.tif 000004
【図３】
2005186315.tif 000005
【図４】
2005186315.tif 000006
【図５】
2005186315.tif 000007
【図６】
2005186315.tif 000008
【図７】
2005186315.tif 000009
【図８】
2005186315.tif 000010
【図９】
2005186315.tif 000011
【図１０】
2005186315.tif 000012